(57)【要約】【課題】  予め設定された波長の光線を効率的に得ることが可能なスキャナの光源を構成する。【解決手段】  発光ダイオード１からの光線が送られる経路に分光センサＳＳを配置し、発光ダイオード１を支持する基盤Ｐの裏面側にペルチェ素子１４と、フィンと、フィンに冷却風を送るファン１６を備え、分光センサＳＳによって予め設定された目標波長の光線を得るためにペルチェ素子１４とファン１６とを制御する制御装置３０を備えた。【選択図】        図７
2005277879.tif 000002
【特許請求の範囲】
【請求項１】
Ｒ（赤）、Ｇ（緑）、Ｂ（青）の三原色を構成する３種の光源部のうちの少なくとも１つの光源部が複数の発光ダイオードを備えているスキャナの光源ユニットであって、
前記３種の光源部を構成する前記複数の発光ダイオードからの光線の波長を計測する分光センサを備え、この分光センサによって予め設定された波長の光線を得るための発光ダイオードの温度又は発光ダイオードへの供給電力を制御する制御装置を備えているスキャナの光源ユニット。
【請求項２】
前記発光ダイオードを基板の表面に支持し、この基板の裏面側にペルチェ素子を接触状態で備え、このペルチェ素子に熱交換用のフィンを備えると共に、前記制御装置が前記ペルチェ素子を制御する温度制御手段を備えて構成されている請求項１記載のスキャナの光源ユニット。
【請求項３】
前記制御装置が、前記発光ダイオードに供給する電力を目標電力値に維持する電力制御手段を備えて構成されている請求項１記載のスキャナの光源ユニット。
【請求項４】
Ｒ（赤）、Ｇ（緑）、Ｂ（青）の三原色を構成する３種の光源部の全てが複数の発光ダイオードを備えて構成され、これらの発光ダイオードからの光線を合流させて送り出す光路において、光軸から離間した位置に前記分光センサを配置している請求項１〜３のいずれか１項に記載のスキャナの光源ユニット。
【請求項５】
Ｒ（赤）、Ｇ（緑）、Ｂ（青）の三原色を構成する３種の光源部のうちの少なくとも１つの光源部が複数の発光ダイオードを備えているスキャナの光源ユニットであって、
前記複数の発光ダイオードからの光線の波長を計測する分光センサを備え、この分光センサによって予め設定された波長の光線を得るための発光ダイオードの温度又は発光ダイオードへの供給電力を求める目標値設定手段を備え、この目標値設定手段で設定された目標温度又は目標電力を維持する制御装置を備えているスキャナの光源ユニット。
【請求項６】
前記複数の発光ダイオードが基板の表面側に支持され、この基板の表面側に温度センサを備え、この基板の裏面側に接する状態で、この基板の温度を調節する温度調節機構を備えると共に、
前記目標値設定手段は、前記発光ダイオードの目標温度を設定し、前記制御装置は、前記温度センサの計測値を目標温度に維持するため前記温度調節機構を制御する温度制御手段を備えて構成されている請求項５記載のスキャナの光源ユニット。
【請求項７】
前記温度調節機構が、前記基板の裏面側に接触するペルチェ素子と、このペルチェ素子において前記基板の反対側に配置された熱交換用のフィンとで構成されている請求項６記載のスキャナの光源ユニット。
【請求項８】
前記複数の発光ダイオードに供給される電力を計測する電力計測器を備え、複数の発光ダイオードに供給する電力を調節する電力調節機構を備えると共に、
前記目標値設定手段は、前記発光ダイオードの目標電力を設定し、前記制御装置は、前記電力計測器の計測値を目標電力に維持するよう前記電力調節機構を制御する電力制御手段を備えて構成されている請求項５記載のスキャナの光源ユニット。
【請求項９】
前記分光センサが、前記発光ダイオードからの光線が送られる光路中の計測位置と、この経路から離間した退避位置とに切り換え自在に構成され、前記目標値設定手段は予め設定された期間毎に前記分光センサを計測位置に設定して目標値を取得し、その目標値を記憶手段に記憶するように構成されている請求項５〜８のいずれか１項に記載のスキャナの光源ユニット。
【請求項１０】
Ｒ（赤）、Ｇ（緑）、Ｂ（青）の三原色を構成する３種の光源部の全てが複数の発光ダイオードを備えて構成され、これらの発光ダイオードからの光線を合流させて送り出す光路が形成され、前記分光センサで発光ダイオードの波長を計測する際には、前記分光センサを計測位置に設定した状態で、３種の発光ダイオードを独立して順次発光させることにより、３種の発光ダイオード夫々における目標値を取得するように構成されている請求項５〜８のいずれか１項に記載のスキャナの光源ユニット。
【発明の詳細な説明】
【技術分野】
【０００１】
本発明は、Ｒ（赤）、Ｇ（緑）、Ｂ（青）の三原色を構成する３種の光源部のうちの少なくとも１つの光源部が複数の発光ダイオードを備えているスキャナの光源ユニットに関する。
【背景技術】
【０００２】
上記のように構成された光源ユニットと関連する技術として特許文献１及び特許文献２に示されるものが存在する。特許文献１では、写真フィルムの画像を取得するＣＣＤエリアセンサ型の光源部として、基板に多数のＬＥＤ素子（本発明の発光ダイオード）を２次元的に配置したＬＥＤ光源を備えており、基板の裏面側にペルチェ素子とサーミスタとを接触固定し、更に、ペルチェ素子に放熱フィンを備え、この放熱フィンを冷却するファンを備えている。そして、温度制御部が、サーミスタによって温度を検知してペルチェ素子とファンとを駆動することにより基板の温度を予め設定した温度に維持するものとなっている。
【０００３】
特許文献２では、デジタルフォトプリンタを構成するスキャナの光源としてＬＥＤアレイ基板上にＬＥＤ（本発明の発光ダイオード）を備えている。この基板においてＬＥＤの取り付け面の反対側に温度センサを設け、この温度センサの測定結果は変動量補正部の変動量取得部に送られる。前記変動量補正部は、光源の分光強度分布の変動に応じて画像信号を補正するものであり、温度センサの測定結果から光線の分光強度分布の変動量、即ち、山形分布の波長シフト量と、発光強度の変動量とを求めて画像信号を補正するように機能する。つまり、雰囲気温度下における光源からの光線の分光強度の変動量との関係を予め記憶保持してあり、温度センサで測定される温度から分光強度の変動量を求めることによりスキャナで取得した画像の補正を行うよう構成したものである。
【０００４】
【特許文献１】特開２００１‐３４６００２号公報  （段落番号〔００２６〕〜〔００７４〕、図５、図７、図８）
【特許文献２】特開２００１‐２２３８６１号公報  （段落番号〔００１９〕〜〔００４０〕、図１、図２）
【発明の開示】
【発明が解決しようとする課題】
【０００５】
カラーの写真フィルムの画像をスキャナによってデジタル化した画像データとして取得する処理を考えるに、この処理では光源からの光線が照射される写真フィルムの画像を光学レンズによって光電変換部に結像させ、この光電変換部によって、Ｒ（赤）・Ｇ（緑）・Ｂ（青）の三原色に対応した画像データに変換し、この三原色に対応した３種の画像データを取得し、保存するようになっている。
【０００６】
写真フィルムの画像を取得するスキャナとしては、写真フィルムと光電変換部とを相対的に移動（副走査方向への移動）させながら、写真フィルムの幅方向（主走査方向）の領域を走査する形態でＲ（赤）・Ｇ（緑）・Ｂ（青）の三原色の画像を同時に取得するものや、写真フィルムのコマの領域（２次元的な領域）を一度に撮影する形態で取得するもの、あるいは、Ｒ（赤）・Ｇ（緑）・Ｂ（青）の３種の光線を順次発光させ３度の発光によって画像を取得するもの等が提案されている。
【０００７】
このように写真フィルムの画像をデジタル信号化した画像データとして取得する際には、写真フィルムの画像を三原色に色分解を行うため、光電変換部は必然的にＲ（赤）、Ｇ（緑）、Ｂ（青）の三原色に対応した特定の波長における感度（分光感度）が最大となる構造のものが使用される。従って、特許文献１、２に示されるように、Ｒ（赤）、Ｇ（緑）、Ｂ（青）の三原色に対応した発光ダイオードを使用することの有効性を見い出すことができる。
【０００８】
具体的には、スキャナに使用する光源として、光電変換部における三原色の最大感度となる波長における光量の発光ダイオードを使用することがエネルギーの無駄を無くし、効率的なスキャニングを実現するため、このような発光ダイオードの使用が考えられているのである。
【０００９】
しかしながら、光電変換部における分光感度に対応した波長の発光ダイオードを使用するものを考えた場合、この発光ダイオードの発光時における波長は温度に影響を受けるため画像データのカラーバランスを維持するためにも温度管理が重要となる。また、発光ダイオードは、その個体の性能のバラツキによって温度と波長との関係にもバラツキを生ずるため、従来は、予め設定した特性のものしか使用できず、しかも、予め設定した特性のものを使用した場合でも、温度と波長との関係は経時的に変化するものであるため、この不都合も解消する必要があった。
【００１０】
本発明の目的は、予め設定された波長の光線を効率的に得ることが可能なスキャナの光源を構成する点にある。
【課題を解決するための手段】
【００１１】
本発明の特徴は、Ｒ（赤）、Ｇ（緑）、Ｂ（青）の三原色を構成する３種の光源部のうちの少なくとも１つの光源部が複数の発光ダイオードを備えているスキャナの光源ユニットにおいて、
前記３種の光源部を構成する前記複数の発光ダイオードからの光線の波長を計測する分光センサを備え、この分光センサによって予め設定された波長の光線を得るための発光ダイオードの温度又は発光ダイオードへの供給電力を制御する制御装置を備えている点にある。
【００１２】
この構成により、発光ダイオードからの光線の波長を分光センサで計測し、計測される波長が予め設定された値となるように制御装置が発光ダイオードの目標温度を設定する、又は、発光ダイオードへの供給電力を設定することになる。その結果、発光ダイオードから必要とする波長の光線を得て、効率的なスキャニングが可能となるばかりか、スキャニングを行った場合にもカラーバランスが良好な画像データを取得できるのである。特に、発光ダイオードは製造時に温度−波長特性のバラツキを生ずることも多いが、例えば、温度制御を行う構成を採用した場合には、製造時にバラツキを生じても、発光ダイオードを温度−波長特性が等しくなる複数のグループに分け、その何れかのグループに属する発光ダイオードを用いて光源部を構成することにより、必要とする波長の光線を得ることが可能となると云う効果も奏する。
【００１３】
本発明は、前記発光ダイオードを基板の表面に支持し、この基板の裏面側にペルチェ素子を接触状態で備え、このペルチェ素子に熱交換用のフィンを備えると共に、前記制御装置が前記ペルチェ素子を制御する温度制御手段を備えて構成しても良い。
【００１４】
この構成により、発光ダイオードの温度上昇を図る場合でも、温度低下を図る場合でもペルチェ素子に対する電力の通電方向の切り換えで済むものとなり、このように温度制御を行う際においてペルチェ素子の基板の反対側で吸熱を必要とする場合にも、放熱を必要とする場合でも、フィンを介して効率的な熱交換が可能となり、発光ダイオードの温度調節を迅速に行え、この温度制御により必要とする波長の光線を得る。
【００１５】
本発明は、前記制御装置が、前記発光ダイオードに供給する電力を目標電力値に維持する電力制御手段を備えて構成されても良い。
【００１６】
この構成により、発光ダイオードに供給する電力を電力制御手段で制御することにより必要とする波長の光線を得るものとなる。
【００１７】
本発明は、Ｒ（赤）、Ｇ（緑）、Ｂ（青）の三原色を構成する３種の光源部の全てが複数の発光ダイオードを備えて構成され、これらの発光ダイオードからの光線を合流させて送り出す光路において、光軸から離間した位置に前記分光センサを配置しても良い。
【００１８】
前記発光ダイオードは点光源ではなく、面積を持ったものであるため、例えば集光レンズを用いる構造であっても、光路においては光軸から外れた方向に光線が送られるものであり、光軸から離れた位置に分光センサを備えることにより、光線を構成する三原色の光線の波長を分光センサで常時計測し、この計測結果に基づいて波長を維持する制御を実現できる。
【００１９】
本発明の特徴は、Ｒ（赤）、Ｇ（緑）、Ｂ（青）の三原色を構成する３種の光源部のうちの少なくとも１つの光源部が複数の発光ダイオードを備えているスキャナの光源ユニットにおいて、
前記複数の発光ダイオードからの光線の波長を計測する分光センサを備え、この分光センサによって予め設定された波長の光線を得るための発光ダイオードの温度又は発光ダイオードへの供給電力を求める目標値設定手段を備え、この目標値設定手段で設定された目標温度又は目標電力を維持する制御装置を備えている点にある。
【００２０】
この構成により、分光センサで予め設定された波長を得るように目標値設定手段が発光ダイオードの目標温度（目標値）を設定する、又は、発光ダイオードへの供給電力（目標値）を設定し、このように設定された目標値を維持するように制御装置が制御を実行することになる。その結果、分光センサで波長を常時計測しなくとも、発光ダイオードから必要とする波長の光線を得て、効率的なスキャニングが可能となるばかりか、スキャニングを行った場合にもカラーバランスが良好な画像データを取得できるのである。特に、発光ダイオードは製造時に温度−波長特性のバラツキを生ずることも多いが、例えば、温度制御を行う構成を採用した場合には、製造時にバラツキを生じても、発光ダイオードを温度−波長特性が等しくなる複数のグループに分け、その何れかのグループに属する発光ダイオードを用いて光源部を構成することにより、必要とする波長の光線を得ることが可能となると云う効果も奏する。
【００２１】
本発明は、前記複数の発光ダイオードが基板の表面側に支持され、この基板の表面側に温度センサを備え、この基板の裏面側に接する状態で、この基板の温度を調節する温度調節機構を備えると共に、
前記目標値設定手段は、前記発光ダイオードの目標温度を設定し、前記制御装置は、前記温度センサの計測値を目標温度に維持するため前記温度調節機構を制御する温度制御手段を備えて構成しても良い。
【００２２】
この構成により、複数の発光ダイオードを備えているものでありながら、温度センサの配置によって発光ダイオードの温度を精度良く計測し、この計測結果に基づいて温度制御手段が温度調節機構を制御することにより基板を介して複数の発光ダイオードを目標温度に維持できるものとなる。
【００２３】
本発明は、前記温度調節機構が、前記基板の裏面側に接触するペルチェ素子と、このペルチェ素子において前記基板の反対側に配置された熱交換用のフィンとで構成しても良い。
【００２４】
この構成により、発光ダイオードの温度上昇を図る場合でも、温度低下を図る場合でもペルチェ素子に対する電力の通電方向の切り換えで済むものとなり、このように温度調節を行う際においてペルチェ素子の基板の反対側で吸熱を必要とする場合にも、放熱を必要とする場合でも、フィンを介して効率的な熱交換が可能となり、発光ダイオードの温度調節を迅速に行える。
【００２５】
本発明は、前記複数の発光ダイオードに供給される電力を計測する電力計測器を備え、複数の発光ダイオードに供給する電力を調節する電力調節機構を備えると共に、
前記目標値設定手段は、前記発光ダイオードの目標電力を設定し、前記制御装置は、前記電力計測器の計測値を目標電力に維持するよう前記電力調節機構を制御する電力制御手段を備えて構成しても良い。
【００２６】
この構成により、目標値設定手段が、分光センサで計測される波長が予め設定された値となるように発光ダイオードに供給する電力を目標電力に設定し、この目標電力を計測手段で計測するように電力制御手段が電力調節機構を制御するものとなる。
【００２７】
本発明は、前記分光センサが、前記発光ダイオードからの光線が送られる光路中の計測位置と、この経路から離間した退避位置とに切り換え自在に構成され、前記目標値設定手段は予め設定された期間毎に前記分光センサを計測位置に設定して目標値を取得し、その目標値を記憶手段に記憶するように構成しても良い。
【００２８】
発光ダイオードの温度−波長特性や電力に対する波長の特性は経時的に変化するものであるが、この経時的な変化は僅かであるため、分光センサによる波長の計測は頻繁に行う必要はない。従って、予め設定された期間毎に分光センサを計測位置にセットして光源の波長を計測して目標値を記憶手段に記憶することによって経時変化に充分に対応して必要とする波長の光線を得るものとなり、分光センサを待避位置にセットすることによって、この分光センサがスキャニング時に光線を遮ることもない。
【００２９】
本発明は、Ｒ（赤）、Ｇ（緑）、Ｂ（青）の三原色を構成する３種の光源部の全てが複数の発光ダイオードを備えて構成され、これらの発光ダイオードからの光線を合流させて送り出す光路が形成され、前記分光センサで発光ダイオードの波長を計測する際には、前記分光センサを計測位置に設定した状態で、３種の発光ダイオードを独立して順次発光させることにより、３種の発光ダイオード夫々における目標値を取得するように構成しても良い。
【００３０】
この構成により、Ｒ（赤）、Ｇ（緑）、Ｂ（青）の三原色の全ての光源部が発光ダイオードで構成されているものでも、夫々の光源部からの光線について、１つの分光センサで波長を計測して目標値を設定することが可能となる。
【発明を実施するための最良の形態】
【００３１】
以下、本発明の実施形態を図面に基づいて説明する。
〔第１の実施形態〕
図１に示すように、光源ユニットＡ、フィルムキャリアＢ、レンズユニットＣ、光電変換部としての光電変換ユニットＤを備えて写真フィルムＦの画像情報をデジタル信号化して取り込むフィルムスキャナが構成されている。
【００３２】
このフィルムスキャナは、現像済みの写真フィルムＦのサイズ（１３５サイズ、２４０サイズ、１２０・２２０サイズ等）に対応したフィルムキャリアＢを装着自在に構成されると共に、光源ユニットＡからの光線をフィルムキャリアＢに支持された写真フィルムＦに照射する照明光学系と、写真フィルムＦを透過した光線をレンズユニットＣから前記光電変換ユニットＤに導く結像光学系とを備えている。結像光学系としてのレンズユニットＣは、写真フィルムＦの主走査方向に沿う領域からの可視光画像を光電変換ユニットＤに内蔵したＣＣＤ（ Charge Coupled Device）型のラインセンサの光電変換面に結像させると同時に、写真フィルムＦの主走査方向に沿う領域からの赤外光画像を光電変換ユニットＤに内蔵した赤外光（ＩＲ）用のＣＣＤ（ Charge Coupled Device）型のラインセンサの光電変換面に結像させるよう機能するものであり、前記光電変換ユニットＤは、写真フィルムＦの可視光画像をＲ（赤）、Ｇ（緑）、Ｂ（青）の三原色に対応したデジタル信号化した画像データ（可視光データ）として取得すると同時に、写真フィルムＦのゴミや傷に起因する赤外光画像をゴミや傷に対応する欠陥データ（赤外光データ）として取得するよう構成されている。
【００３３】
前記光源ユニットＡは、図２〜図４に示すように、前記三原色及び赤外光を送り出すよう、多数の発光ダイオード１を基板Ｐ（後述する第１、第２、第３基板Ｐ１、Ｐ２、Ｐ３の３つの基板の総称）において主走査方向に直線状に配置した光源部としての発光ダイオードアレイＬＥＤ（後述する発光ダイオードアレイＧ−ＬＥＤ、Ｂ−ＬＥＤ、Ｒ・ＩＲ−ＬＥＤの３種の発光ダイオードアレイの総称）を具備し、この発光ダイオードアレイＬＥＤからの光線を合流させ白色光線として上方に向けて送り出すよう構成されている。前記フィルムキャリアユニットＢは、長手方向を主走査方向に沿う姿勢に設定したスリット状のスキャンゲートＳＧが形成されたケース２０を備えると共に、写真フィルムＦを長手方向（副走査方向）に往復搬送させる複数の圧着型の搬送ローラ２１と、下面側の集光レンズ２２とを備えて構成されている。
【００３４】
前記レンズユニットＣは、フィルムキャリアＢに支持された写真フィルムＦの画像を前記光電変換ユニットＤに内蔵した前記ＣＣＤラインセンサ６の光電変換面に対して任意の拡大率で結像させるようズーム型の光学レンズ５を備えている。前記光電変換ユニットＤは、Ｒ（赤）、Ｇ（緑）、Ｂ（青）の三原色に対応した３ライン型のＣＣＤラインセンサ６と赤外光（ＩＲ）を感知する１ライン型のＣＣＤラインセンサ７とを内蔵すると共に、前記光学レンズ５からの可視光を透過させ、赤外光を反射させるダイクロイック型のスプリッター８を内蔵している。
【００３５】
スキャニングを行う際には、光学レンズ５による拡大率（主走査方向での画素数）が設定されると同時に、フィルムキャリアＢでの写真フィルムＦの搬送速度（副走査方向での画素数）が設定され、この設定の後に、写真フィルムＦに対して光線を照射する状態で、前記搬送ローラ２１を駆動することにより写真フィルムＦを設定された速度で搬送し、この搬送速度と同期したタイミングで光電変換ユニットＤのＣＣＤラインセンサ６、７において主走査方向に沿うライン状の画像情報を取り込む処理が行われる。この処理が行われることにより、写真フィルムＦのコマに対応する赤色（Ｒ）、緑色（Ｇ）、青色（Ｂ）の２次元の画像データを得ると同時に、写真フィルムＦのコマに対応する赤外光（ＩＲ）の２次元画像データの構造を有する欠陥データを得るものとなる。この欠陥データを生成した後には、欠陥データに基づき、画像データにおける傷や塵埃等の欠陥位置が特定され、この欠陥位置の画像データに対して、輝度調整処理や、ニアレストネイバー法、バイリニア法、バイキュービック法等による補間処理を行うことにより、画像データの欠陥部分の修復が可能となる。
【００３６】
前記照明光学系は、前記発光ダイオードアレイＬＥＤからの光線を合流させて上方に送り出す合流光学系と、この合流光学系からの光線を拡散させるよう前記光源ユニットＡに内蔵された拡散板１０とで構成されている。
【００３７】
具体的に説明すると、前記光源ユニットＡは樹脂成形品で成る上壁部１１と、アルミニウム合金で成る側壁部１２と、同じくアルミニウム合金で成る底壁部１３とでケース状に形成されている。また、上壁部１１の内部には、その表面側に前記発光ダイオードアレイＬＥＤを形成した第１基板Ｐ１と、第２基板Ｐ２と、第３基板Ｐ３とを支持してあり、これら、第１基板Ｐ１、第２基板Ｐ２、第３基板Ｐ３の裏面側にペルチェ素子１４を備え、更に、このペルチェ素子１４における基板Ｐと反対側にアルミニウム製のフィン１５を備えている。この光源ユニットＡの側壁部１２には、３つのフィン１５に対して独立して冷却風を送る一対の電動型のファン１６を備えている。尚、光源ユニットＡの内部にはファン１６からの冷却風をフィンに１５に導くための導風体１７を備えており、前記ペルチェ素子１４とフィン１５とファン１６とで温度調節機構が構成されている。
【００３８】
前記第１基板Ｐ１にチップ状の多数の緑色の発光ダイオード１を主走査方向に直線状に配置して成る緑色の発光ダイオードアレイＧ−ＬＥＤを備え、第２基板Ｐ２にチップ状の多数の青色の発光ダイオード１を主走査方向に直線状に配置して成る青色の発光ダイオードアレイＢ−ＬＥＤを備え、第３基板Ｐ３にチップ状の多数の第１、第２赤色の発光ダイオード１と、チップ状の多数の赤外光の発光ダイオード１とを交互に主走査方向に配置した赤色・赤外光の発光ダイオードアレイＲ・ＩＲ−ＬＥＤを備えている。夫々の発光ダイオードアレイＬＥＤに対応する位置に、夫々の発光ダイオードアレイからの光線を平行光線化するよう、夫々の発光ダイオード１に焦点位置を設定した平行化レンズ１８を備え、これらの平行化レンズ１８を介して送り出された光線を合流させるダイクロイック型のミラーＭ（後述する第１ミラーＭ１、第２ミラーＭ２の総称）を備えている。
【００３９】
つまり、緑色の発光ダイオードアレイＧ−ＬＥＤからの光線を上方に送る縦向き姿勢の第１光軸Ｌ１上に前記平行化レンズ１８と、第１ミラーＭ１とを配置し、青色の発光ダイオードアレイＢ−ＬＥＤからの光線を上方に送る縦向き姿勢の第２光軸Ｌ２上に前記平行化レンズ１８とを配置し、赤色・赤外光の発光ダイオードアレイＲ・ＩＲ−ＬＥＤからの光線を水平方向に送る横向き姿勢の第３光軸Ｌ３上に前記平行化レンズ１８と、第２ミラーＭ２とを配置している。
【００４０】
前記第１、第２、第３光軸Ｌ１、Ｌ２、Ｌ３は、夫々の発光ダイオードアレイＬＥＤの形成方向（主走査方向）での中央位置で、かつ、前記基板Ｐに垂直となる仮想直線として設定されたものであり、第１光軸Ｌ１の延長上方に前記集光レンズ２２とスキャンゲートＳＧが配置され、前記第２光軸Ｌ２は前記第２ミラーＭ２において前記第３光軸Ｌ３と合流する位置に配置されている。また、第１軸Ｌ１に沿って形成される光路の内壁面に対して分光センサＳＳを備えている。この分光センサＳＳは光軸Ｌ１に沿って上方に送られる光線を構成する３種の波長の光線の最大光量の波長を計測する性能のものである。因みに、この分光センサＳＳは、前記散光板１０からの反射光を受けるように構成されているが、光軸Ｌ１から離間する方向に向かう光線を受けるように構成しても良い。
【００４１】
前記青色の発光ダイオード１の波長は４００〜４８０ｎｍ、緑色の発光ダイオード１の波長は５２０〜５６０ｎｍ、赤色の発光ダイオード１の波長は６２０〜７５０ｎｍ、赤外光の発光ダイオード１の波長は８３０〜９５０ｎｍのものが使用されている。前記第１ミラーＭ１は緑色の発光ダイオード１からの光線（５２０〜５６０ｎｍ）を透過し、これ以外の光線を反射する性能のものであり、前記第２ミラーＭ２は赤色光と赤外光の発光ダイオード１からの波長（６２０〜７５０ｎｍ及び８３０〜９５０ｎｍ）の光線を透過し、青色の発光ダイオード１からの波長（４００〜４８０ｎｍ）の光線を反射する性能のものを使用している。
【００４２】
このような構造から、前記緑色の発光ダイオードアレイＧ−ＬＥＤから第１光軸Ｌ１に沿って送り出される光線は、平行化レンズ１８で平行光線化した状態で第１ミラーＭ１を透過して第１光軸Ｌ１に沿って上方に送られ、前記青色の発光ダイオードアレイＢ−ＬＥＤから第２光軸Ｌ２に沿って送り出される光線は、平行化レンズ１８で平行光線化した後に第２ミラーＭ２で反射して第３光軸Ｌ３と合流し、赤色・赤外光の発光ダイオードアレイＲ・ＩＲ−ＬＥＤから第３光軸Ｌ３に沿って送り出される光線は、平行化レンズ１８で平行光線化した状態で第２ミラーＭ２を透過するものとなり、このように第３光軸Ｌ３に沿って送られる青色の発光ダイオードアレイＢ−ＬＥＤからの光線と、赤色・赤外光の発光ダイオードアレイＲ・ＩＲ−ＬＥＤからの光線とは第１ミラーＭ１で反射され、第１光軸Ｌ１に沿って上方に送られる結果、この第１光軸Ｌ１では、緑色の光線、青色の光線、赤色の光線（赤外線を含む）が合流した白色の光線が送られ、前記拡散板１０で拡散されるのである。
【００４３】
緑色の発光ダイオードアレイＧ−ＬＥＤを備えた部位を例に挙げて基板Ｐの詳細を説明すると、図５に示すように、熱伝導率が高いアルミニウム製の基材の表面にセラミック材料等の絶縁層を形成した積層構造の基板Ｐの絶縁層の表面に対して、前述したチップ状の発光ダイオード１を主走査方向に沿って直線状にダイボンディングにより固定している。また、この基板Ｐにおいて前記発光ダイオード１の近傍位置に対して矩形の枠体２、反射体３夫々を発光ダイオードアレイＬＥＤの形成方向（主走査方向）と並行する姿勢で固定し、チップ状の発光ダイオード１と、基板Ｐに形成したプリント配線部Ｐａとをボンディングワイヤ４で結線することにより、プリント配線部Ｐａからの電力により発光ダイオード１を発光させ得るものにしている。
【００４４】
前記枠体２と反射体３とは耐熱性に優れた液晶性ポリマーによって一体形成されたものであり、前記反射体３は、発光ダイオード１と対向する側に対して傾斜姿勢の反射面３ａを備えている。
【００４５】
前記拡散板１０は、主走査方向での長さが、前記発光ダイオードアレイＬＥＤの主走査方向の長さより充分に長く、副走査方向での幅が、前記平行化レンズ１８の副走査方向での幅より充分に大きい幅に形成されたサイズのビーム整形ディフューザ（ＬＳＤ）が使用されている。この拡散板１０は、図６に示すように、平坦な板状の樹脂製の素材の表面に微細な突出部１０ａを多数形成した拡散面を備えており、素材の表面に対して直交する姿勢の軸Ｘに沿って入射した光線を設定された角度θとなる範囲に拡散させる機能を有するものである。この拡散板１０では、同図に示す如く入射した光線を拡散させる角度θとして３０〜４０度程度の性能のもの（軸Ｘを中心として頂点の角度θが３０〜４０度程度となる円錐形に拡散する性能のもの）を使用している。
【００４６】
図７に示すように、フィルムスキャナの制御系が構成されている。この制御系では第１基板Ｐ１と、第２基板Ｐ２と、第３基板Ｐ３との夫々に対して独立した制御を実現するものであるが、同図においては１つの基板Ｐに対する制御系の構成要素を示している。
【００４７】
つまり、マイクロプロセッサを備えた制御装置３０に対して前記分光センサＳＳからの計測信号が入力する入力系が形成されると共に、制御装置３０から複数の発光ダイオード１で構成される発光ダイオードアレイＬＥＤ、ペルチェ素子１４、一対のファン１６夫々に対してＰＷＭ式に電力を制御するドライバ２７を介して電力を供給する出力系が形成されている。尚、分光センサＳＳは３つの基板Ｐの温度制御に兼用されている。
【００４８】
制御装置３０は前記入力系からの信号の入力を許し、前記出力系に対する信号の出力を許すインタフェース３１（Ｉ／Ｏ）を備えると共に、半導体メモリＲＡＭ／ＲＯＭを備え、また、発光ダイオード１への供給電力を制御する光量制御手段３２と、発光ダイオードアレイＬＥＤを構成する複数の発光ダイオード１の温度を制御する温度制御手段３３と、前記分光センサＳＳからの計測信号からＲ（赤）、Ｇ（緑）、Ｂ（青）の三原色に対応する光線の最大光量となる波長を抽出する波長解析手段３４とを備えている。
【００４９】
前記光量制御手段３２と、温度制御手段３３と、波長解析手段３４とはソフトウエアで構成されているが、これらをソフトウエアとハードウエアとの組み合わせで構成することや、ハードウエアで構成することも可能である。また、光量制御手段３２は前記発光ダイオードアレイＬＥＤを構成する複数の発光ダイオード１に対して予め設定された電力を供給する単純な制御を行う処理を実行する。
【００５０】
この制御装置３０では、発光ダイオード１からの光線の波長を目標値に維持するための制御プログラム（前記温度制御手段３３と波長解析手段３４とで構成されている）での処理の概要を図８のフローチャートのように示すことが可能である。つまり、イニシャライズ（初期設定）において目標波長λｘをセットし、分光センサＳＳからの計測信号を取得し、この計測信号から最大光量となる計測波長λｓを抽出する（＃１０１〜＃１０３ステップ）。＃１０３ステップでは、三原色を構成する３種の光線のうち制御対象とする波長領域の光線から最大光量となる波長λｓを抽出する処理であり、このフローチャートでは１つの波長のみを抽出しているが、現実の制御時には三原色を構成する３種の光線の全てについて最大光量となる波長λｓが抽出される。
【００５１】
また、前記目標波長λｘは、Ｒ（赤）・Ｇ（緑）・Ｂ（青）三原色に対応して３種設定されるものであり、この３種の目標波長λｘは、前記ＣＣＤラインセンサ６においてＲ（赤）・Ｇ（緑）・Ｂ（青）の三原色について最も感度が高い波長と一致する波長に設定されている。
【００５２】
次に、計測波長λｓと、目標波長λｘとに基づいて、計測波長λｓが目標波長λｘに一致する方向への温度制御を実行し、この制御をフィルムスキャナの稼動が終了するまで継続して行われる（＃１０４、＃１０５ステップ）。つまり、＃０４ステップでは目標波長λｘに数値ｄを与えて不感帯を設定した状態において、計測波長λｓが目標波長λｘより短い場合〔（λｘ−ｄ）≧λｓ〕には前記ペルチェ素子１４に通電して発光ダイオード１を加熱し、計測波長λｓが目標波長λｘより長い場合〔（λｘ＋ｄ）≦λｓ〕には前記ペルチェ素子１４に対して逆方向に通電し、かつ、ファン１６を駆動して発光ダイオード１の放熱を行い、これ以外の場合には〔（λｘ−ｄ）≦λｓ≦（λｘ＋ｄ）〕、制御を加熱も放熱も行わないよう処理形態が設定されているが、厳密には、ＰＩＤ制御により加熱時においてペルチェ素子１４に供給する電力を制御し、放熱時においてペルチェ素子１４に逆方向に供給する電力を制御し、ファン１６を駆動する電力を制御している。
【００５３】
前記発光ダイオード１の温度−波長特性を示すグラフを図９のように示すことが可能であり、このグラフから明らかなようにＲ（赤）・Ｇ（緑）・Ｂ（青）の三原色を構成する発光ダイオード１は、温度上昇に伴って波長が長くなる傾向がある。このような理由から、より長い波長の光線を必要とする場合には加熱し、より短い波長の光線を必要とする場合には放熱しているのである。
【００５４】
このように、第１の実施形態のフィルムスキャナでは、Ｒ（赤）・Ｇ（緑）・Ｂ（青）の三原色の発光ダイオード１から予め設定された波長の光線を得るための目標波長λｘを設定し、光線の波長を常時計測できる位置に配置した分光センサＳＳの計測信号に基づいて分光センサＳＳで計測される計測波長λｓが目標波長λｘと一致する方向に温度制御を行うことによって、必要とする波長の光線を得るものとなる。そして、このように必要とする波長の光線を得ることから、効率的なスキャニングが可能となり、スキャニングを行った場合にも、カラーバランスが良好な画像データを取得できるものとなっている。
【００５５】
また、発光ダイオード１の製造時には温度−波長特性にバラツキを生ずることがあり、このようにバラツキを生じた場合には、発光ダイオード１を同じ温度−波長特性を持つ複数のグループに分類しておき、複数の発光ダイオード１を用いて前記発光ダイオードアレイＬＥＤを形成する場合には、同じグループの発光ダイオード１を用い、本発明の制御系を備えることにより、特性にバラツキがある発光ダイオード１から必要とする波長（目標波長λｘ）の光線を得て無駄なく使用できると云う良好な面も現れる。
【００５６】
〔第２の実施形態〕
この第２の実施形態では前記第１の実施形態と同じ機能を有するものには、実施の形態と共通の番号、符号を付している。
【００５７】
この第２の実施形態では、ハードウエアは第１の実施の形態と基本的に変わるところがない。この制御を行う上でペルチェ素子１４、フィン１５、ファン１６は不要であるが、発光ダイオード１の温度管理を行うために備えても良い。また、この第２の実施形態では、図１０のように制御系を構成することが可能である。
【００５８】
つまり、マイクロプロセッサを備えた制御装置３０に対して前記分光センサＳＳからの計測信号が入力する入力系が形成されると共に、制御装置３０から複数の発光ダイオード１で構成される発光ダイオードアレイＬＥＤに対してＰＷＭ式に電力を制御するドライバ２７を介して電力を供給する出力系が形成されている。
【００５９】
制御装置３０は前記入力系からの信号の入力を許し、前記出力系に対する信号の出力を許すインタフェース３１（Ｉ／Ｏ）を備えると共に、半導体メモリＲＡＭ／ＲＯＭを備え、また、発光ダイオード１への供給電力を制御する電力制御手段４１と、前記分光センサＳＳからの計測信号からＲ（赤）、Ｇ（緑）、Ｂ（青）の三原色に対応する光線の最大光量となる波長を抽出する波長解析手段３４とを備えている。
【００６０】
前記電力制御手段４１と、波長解析手段３４とはソフトウエアで構成されているが、これらをソフトウエアとハードウエアとの組み合わせで構成することや、ハードウエアで構成することも可能である。
【００６１】
この制御装置３０では、発光ダイオード１からの光線の波長を目標値に維持するための制御プログラム（前記電力制御手段４１と波長解析手段３４とで構成されている）での処理が実行されるものであるが、この制御は分光センサＳＳからの計測波長を取得し、この計測波長が目標波長と一致するように発光ダイオード１に供給する電力をコントロールする点に特徴を有し、このように目的波長を得るためにコントロールするものが、制御形態は電力である点を除いて前記第１の実施形態において図８に示したものと基本的に同じであるので図面には示していない。
【００６２】
また、発光ダイオード１に供給する電力の制御によって、目標波長となる光線を得ることが可能となる理由は第１の実施形態において温度−波長特性を示すグラフに基づいて説明したように、温度変化に対応して波長が変化する現象を利用したものであり、電力の供給によって発光ダイオード１の内部に生ずる熱を制御し、必要とする波長の光線を得ているのである。
【００６３】
このように、第２の実施形態ではこのフィルムスキャナでは、Ｒ（赤）・Ｇ（緑）・Ｂ（青）の三原色の発光ダイオード１から予め設定された波長の光線を得るための目標波長を設定し、光線の波長を常時計測できる位置に配置した分光センサＳＳの計測信号に基づいて、この分光センサＳＳで計測される計測波長が目標波長と一致する方向に電力制御を行うことによって、必要とする波長の光線を得るものとなる。そして、このように必要とする波長の光線を得ることから、効率的なスキャニングが可能となり、スキャニングを行った場合にも、カラーバランスが良好な画像データを取得できるものとなっている。
【００６４】
〔第３の実施形態〕
この第３の実施形態では前記第１の実施形態と同じ機能を有するものには、実施の形態と共通の番号、符号を付している。
【００６５】
この第３の実施形態では、ハードウエアは第１の実施の形態の分光センサＳＳによる光線の計測形態、及び、発光ダイオード１を支持する基板Ｐに温度センサＳＴを備えた点を除いて基本的に変わるところがない。具体的に説明すると、図１１及び図１２（ａ）、（ｂ）に示すように、分光センサＳＳは、出退アーム４５の先端に支持され、この出退アーム４５にクランクアーム４６を連結し、このクランクアーム４６を操作する出退モータ４７を備えて出退作動ユニットＵを構成している。また、図１４に示すように、複数の発光ダイオード１の形成方向（主走査方向）の中央位置の基板Ｐの表面にはサーミスタ等で成る温度センサＳＴを備えている。
【００６６】
このような構成から、分光センサＳＳを突出させて計測位置にセットすることにより、光軸Ｌ１に沿って送られる光線の波長を計測することが可能となり、この分光センサＳＳを退避位置にセットすることにより、光源からの光線を遮ることがない。また、複数の発光ダイオード１の形成方向での中央位置に温度センサＳＴを備えることによって、発光ダイオード１の温度を精度良く計測できるものにしている。
【００６７】
図１３に示すように、フィルムスキャナの制御系が構成されている。この制御装置は第１基板Ｐ１と、第２基板Ｐ２と、第３基板Ｐ３夫々に対して独立した制御を実現するものであるが、同図においては１つの基板Ｐに対する制御系の構成要素を示している。
【００６８】
つまり、マイクロプロセッサを備えた制御装置３０に対して、分光センサＳＳからの計測信号が入力する信号系、前記温度センサＳＴからの計測信号がＡ／Ｄ変換器２５を介して入力する入力系が形成されると共に、制御装置３０から前記作動ユニットＵに対して制御信号を出力する信号系、複数の発光ダイオード１で構成される発光ダイオードアレイＬＥＤ、ペルチェ素子１４、一対のファン１６夫々に対してＰＷＭ式に電力を制御するドライバ２７を介して電力を供給する出力系が形成されている。
【００６９】
制御装置３０は前記入力系からの信号の入力を許し、前記出力系に対する信号の出力を許すインタフェース３１（Ｉ／Ｏ）を備えると共に、半導体メモリＲＡＭ／ＲＯＭ及びＥＥＰＲＯＭを備え、また、発光ダイオード１への供給電力を制御する光量制御手段３２と、発光ダイオードアレイＬＥＤを構成する複数の発光ダイオード１の温度を制御する温度制御手段３３と、前記分光センサＳＳからの計測信号からＲ（赤）、Ｇ（緑）、Ｂ（青）の三原色に対応する光線の最大光量となる波長を抽出する波長解析手段３４と、前記温度制御手段３３での制御時における目標温度を設定する目標温度設定手段３５（目標値設定手段の一例）とを備えている。
【００７０】
前記光量制御手段３２と、温度制御手段３３と、波長解析手段３４と、目標温度設定手段３５とはソフトウエアで構成されているが、これらをソフトウエアとハードウエアとの組み合わせで構成することや、ハードウエアで構成することも可能である。また、光量制御手段３２は前記発光ダイオードアレイＬＥＤを構成する複数の発光ダイオード１に対して予め設定された電力を供給する単純な制御を行う処理を実行する。
【００７１】
この制御装置３０では、発光ダイオード１からの光線の波長を目標値に維持するための制御プログラム（前記温度制御手段３３と波長解析手段３４と目標温度設定手段３５とで構成されている）での処理の概要を図１５の目標温度設定ルーチンと、図１６の波長制御とのフローチャートのように示すことが可能である。つまり、目標温度設定ルーチンでは、イニシャライズ（初期設定）において、目標波長λｘをセットし、分光センサＳＳを計測位置にセットした状態において、ペルチェ素子１４に対する通電によって基板Ｐの昇温を図り、この昇温時に分光センサＳＳでの計測波長λｓと、温度センサＳＴでの計測値Ｔｓとを同時にサンプリングする（＃２０１〜＃２０３ステップ）。
【００７２】
次に、サンプリングした計測波長λｓが目標波長λｘと一致したタイミングにおける計測値Ｔｓを目標温度Ｔｘに設定し、この目標温度Ｔｘを目標温度保存手段としてのＥＥＰＲＯＭに保存し、昇温を停止し、分光センサＳＳを退避位置にセットして処理を終了する（＃２０４〜＃２０５ステップ）。
【００７３】
このように目標温度Ｔｘが保存された後には、温度制御を実行する。つまり、イニシャライズ（初期設定）において、目標温度Ｔｘをセットし、温度センサＳＴで基板Ｐの温度、即ち、計測温度Ｔｓのフィードバックを行いながら温度制御を実行し、この制御をスキャナの稼働が終了するまで継続するのである（＃３０１〜＃３０４ステップ）。この温度制御では、＃３０３ステップにおいては、計測温度Ｔｓが目標温度Ｔｘより低温である場合〔（Ｔｘ−ｄ）≧Ｔｓ〕には前記ペルチェ素子１４に通電して発光ダイオード１を加熱し、計測温度Ｔｓが目標波長Ｔｘより高温場合〔（λｘ＋ｄ）≦λｓ〕には発光ダイオード１の前記ペルチェ素子１４に対して逆方向に通電し、かつ、ファン１６を駆動して放熱を行い、これ以外の場合には制御を加熱も放熱も行わないよう処理形態が設定されているが、厳密には、ＰＩＤ制御により加熱時においてペルチェ素子１４に供給する電力を制御し、放熱時においてペルチェ素子１４に逆方向に供給する電力を制御し、ファン１６を駆動する電力を制御している。
【００７４】
このように、第３の実施形態のフィルムスキャナでは、Ｒ（赤）・Ｇ（緑）・Ｂ（青）の三原色の発光ダイオード１から目標波長λｘを得るための基板Ｐの温度を目標温度Ｔｘとして保存しておき、基板Ｐが目標温度Ｔｘに維持されるよう、比較的単純な温度制御を行うだけで夫々の発光ダイオード１から必要とする波長の光線を得ることが可能となる。そして、このように必要とする波長の光線を得ることから、効率的なスキャニングが可能となり、スキャニングを行った場合にもカラーバランスが良好な画像データを取得できるのである。特に、発光ダイオード１の温度−波長特性は短時間に変化するものではないので、例えば、１０００時間に１度程度目標温度設定ルーチンを実行するだけで、その発光ダイオード１の経時変化に適応した制御によって必要とする波長の光線を得ることになるのである。
【００７５】
また、発光ダイオード１の製造時には温度−波長特性にバラツキを生ずることがあり、このようにバラツキを生じた場合には、発光ダイオードを同じ温度−波長特性を持つ複数のグループに分類しておき、複数の発光ダイオード１を用いて前記発光ダイオードアレイＬＥＤを形成する場合には、同じグループの発光ダイオード１を用い、本発明の制御系を備えることにより、特性にバラツキがある発光ダイオード１から必要とする波長（目標波長λｘ）の光線を得て無駄なく使用できると云う良好な面も現れる。
【００７６】
〔第４の実施形態〕
この第４の実施形態では前記第１の実施形態と同じ機能を有するものには、実施の形態と共通の番号、符号を付している。
【００７７】
この第４の実施形態では、ハードウエアは第３の実施の形態と基本的に変わるところがない。この制御を行う上でペルチェ素子１４、フィン１５、ファン１６は不要であるが、発光ダイオード１の温度管理を行うために備えても良い。また、この第４の実施形態では、図１７のように制御系を構成することが可能である。
【００７８】
つまり、マイクロプロセッサを備えた制御装置３０に対して前記分光センサＳＳからの計測信号が入力する入力系が形成されると共に、制御装置３０から前記作動ユニットＵに対して制御信号を出力する信号系、複数の発光ダイオード１で構成される発光ダイオードアレイＬＥＤに対してＰＷＭ式に電力を制御するドライバ２７を介して電力を供給する出力系、及び、この発光ダイオードＬＥＤに供給される電力を計測する電力センサ２８（電力計測器の一例）を介装し、この電力センサ２８から制御装置３０に計測結果をフィードバックする信号系が形成されている。
【００７９】
制御装置３０は前記入力系からの信号の入力を許し、前記出力系に対する信号の出力を許すインタフェース３１（Ｉ／Ｏ）を備えると共に、半導体メモリＲＡＭ／ＲＯＭを備え、また、発光ダイオード１への供給電力を制御する電力制御手段４１と、前記分光センサＳＳからの計測信号からＲ（赤）、Ｇ（緑）、Ｂ（青）の三原色に対応する光線の最大光量となる波長を抽出する波長解析手段３４と、目標電力設定手段４２（目標値設定手段の一例）とを備えている。
【００８０】
前記電力制御手段４１と、波長解析手段３４と、目標電力設定手段４２とはソフトウエアで構成されているが、これらをソフトウエアとハードウエアとの組み合わせで構成することや、ハードウエアで構成することも可能である。
【００８１】
この制御装置３０では、発光ダイオード１からの光線の波長を目標値に維持するための制御プログラム（前記電力制御手段４１と波長解析手段３４と目標電力設定手段４２とで構成されている）での処理の概要を第３の実施の形態で説明した図１５の目標温度設定ルーチンと、図１６の波長制御とのフローチャートと同様の処理を行うように構成されている。
【００８２】
つまり、目標温度設定ルーチンでは、目標波長の波長の光線を得るために発光ダイオード１に供給した電力を前記電力センサ２８からの信号から求め、この電力値を目標電力に設定する。波長制御では、電力センサ２８からの信号のフィードバックしながら発光ダイオード１に対して目標電力を供給する制御を行う点において相違するものであるが、基本的な制御形態は第３の実施形態と異なるものではないので、図面には示していない。
【００８３】
また、発光ダイオード１に供給する電力の制御によって、目標波長となる光線を得ることが可能となる理由は第１の実施形態において図９の温度−波長特性を示すグラフに基づいて説明したように、温度変化に対応して波長が変化する現象を利用したものであり、電力の供給によって発光ダイオード１の内部に生ずる熱を制御し、必要とする波長の光線を得ているのである。
【００８４】
このように、第４の実施形態のフィルムスキャナでは、Ｒ（赤）・Ｇ（緑）・Ｂ（青）の三原色の発光ダイオード１から目標波長λｘを得るための目標電力として保存しておき、発光ダイオード１に供給される電力が目標電力に維持されるよう、比較的単純な制御を行うだけで、夫々の発光ダイオード１から必要とする波長の光線を得ることが可能となる。そして、このように必要とする波長の光線を得ることから、効率的なスキャニングが可能となり、スキャニングを行った場合にも、カラーバランスが良好な画像データを取得できるのである。特に、発光ダイオード１の温度−波長特性は短時間に変化するものではないので、例えば、１０００時間に１度程度目標温度設定ルーチンを実行するだけで、その発光ダイオード１に適応した制御によって必要とする波長の光線を得ることになるのである。
【００８５】
〔別実施の形態〕
本発明は、上記した実施の形態以外に以下のように構成しても良い。
【００８６】
（イ）分光センサを光電変換ユニットＤの内部に備えることにより、光学レンズ５を通過した光線について波長を計測するように構成する。このように構成した場合には、光学レンズ５による光線の吸収や反射を考慮して最良のカラーバランスを設定することも可能となる。
【００８７】
（ロ）温度調節機構として、ジュール熱を発する構造の電気ヒータと、放熱を行うファンとを組み合わせても良い。このように構成した場合には、ペルチェ素子を用いるものと比較してコストの低減が可能となる。
【００８８】
（ハ）複数の発光ダイオードを２次元的に配列して光源部を構成する。このように構成した場合には、光電変換部に２次元型のＣＣＤ等を用いて写真フィルムを移動させずに画像データを取得することが可能となる。
【図面の簡単な説明】
【００８９】
【図１】第１の実施形態のフィルムスキャナの斜視図
【図２】第１の実施形態のフィルムスキャナの光学系の斜視図
【図３】第１の実施形態の光源ユニット部の縦断正面図
【図４】第１の実施形態の光源ユニットの縦断側面図
【図５】第１の実施形態の発光ダイオードの支持構造を示す断面図
【図６】第１の実施形態の散光板の拡大断面図
【図７】第１の実施形態の制御系のブロック回路図
【図８】第１の実施形態の波長制御のフローチャート
【図９】第１の実施形態の発光ダイオードの温度−波長特性を示すグラフ
【図１０】第２の実施形態の制御系のブロック回路図
【図１１】第３の実施形態の光源ユニット部の縦断正面図
【図１２】第３の実施形態の分光センサの出退構造を示す断面図
【図１３】第３の実施形態の制御系のブロック回路図
【図１４】第３の実施形態の温度センサの配置を示す平面図
【図１５】第３の実施形態の目標温度設定ルーチンのフローチャート
【図１６】第３の実施形態の波長制御のフローチャート
【図１７】第４の実施形態の制御系のブロック回路図
【符号の説明】
【００９０】
１            発光ダイオード
１４          ペルチェ素子
１５          フィン
２８          電力計測器
３０          制御装置
３５          目標値設定手段（目標温度設定手段）
４１          電力制御手段
４２          目標値設定手段（目標電力設定手段）
Ｌ１          光軸
ＳＳ          分光センサ
ＬＥＤ        光源部
【図１】
2005277879.tif 000003
【図２】
2005277879.tif 000004
【図３】
2005277879.tif 000005
【図４】
2005277879.tif 000006
【図５】
2005277879.tif 000007
【図６】
2005277879.tif 000008
【図７】
2005277879.tif 000009
【図８】
2005277879.tif 000010
【図９】
2005277879.tif 000011
【図１０】
2005277879.tif 000012
【図１１】
2005277879.tif 000013
【図１２】
2005277879.tif 000014
【図１３】
2005277879.tif 000015
【図１４】
2005277879.tif 000016
【図１５】
2005277879.tif 000017
【図１６】
2005277879.tif 000018
【図１７】
2005277879.tif 000019